(57)【要約】【課題】  シートのポケット縫い付け構造において、縁体によってポケットの縁部分を綺麗に覆うことができ、縁体の縁部分も外に露出しない状態を、手間や熟練をあまり要することなく得ることができるように構成する。【解決手段】  シートの表皮１１にポケット４の縁部分４ａが縫い付けられて、二つ折りされた縁体１２の縁部分１２ａがポケット４の外方に向くようにポケット４の縁部分４ａの外面に縫い付けられている。縁体１２の縁部分１２ａの縫い付け部Ｎ１，Ｎ２を外面から覆うように、縁体１２の二つ折り部分１２ｂがポケット４の外方に折り返され、ポケット４の外方に折り返された縁体１２の二つ折り部分１２ｂが、ポケット４の縁部分４ａよりも外方に出されてシートの表皮１１に縫い付けられている。【選択図】        図５
2006056411.tif 000002
【特許請求の範囲】
【請求項１】
シートの表皮にポケットの縁部分が縫い付けられて、二つ折りされた縁体の縁部分が前記ポケットの外方に向くようにポケットの縁部分の外面に縫い付けられ、
前記縁体の縁部分の縫い付け部を外面から覆うように、前記縁体の二つ折り部分がポケットの外方に折り返され、
前記ポケットの外方に折り返された縁体の二つ折り部分が、前記ポケットの縁部分よりも外方に出されてシートの表皮に縫い付けられているシートのポケット縫い付け構造。
【発明の詳細な説明】
【技術分野】
【０００１】
本発明は、乗用車やミニバン、商用車やバス等の車両において、シートに小物入れ用のポケットを縫い付ける構造に関する。
【背景技術】
【０００２】
車両のシートにおいては、例えば特許文献１，２に開示されているように、シートの背面部や横側部の表皮に、袋状で小物入れ用のポケットを縫い付けているものがある。このようにシートの表皮にポケットを縫い付ける場合、ポケットの縁部分を綺麗に覆う必要があるので、例えば図９（イ）（ロ）に示すような手法がある。
【０００３】
例えば図９（イ）に示すように、先ずポケット４の縁部分４ａに縁体２１（例えば細長い帯布状）の縁部分２１ａを縫い付ける（縫い付け部Ｎ１１）（縁体２１の縁部分２１ａがポケット４の外方（紙面右方）に向くように縫い付ける）（縁体２１がポケット４の内方（紙面左方）に向くように縫い付ける）。
次に例えば図９（ロ）に示すように、縁体２１の縁部分２１ｂをポケット４の外方（紙面右方）に折り返して、縁体２１の縁部分２１ｂをポケット４の縁部分４ａの内面に入り込ませ、外面から縁体２１、ポケット４の縁部分４ａ、縁体２１の縁部分２１ｂ及びシートの表皮１１を縫い付ける（縫い付け部Ｎ１２）。これにより、縁体２１によってポケット４の縁部分４ａを綺麗に覆うことができるのであり、縁体２１の縁部分２１ａ，２１ｂも外に露出しない。
【０００４】
【特許文献１】特開平９−５８３５８号公報
【特許文献２】実開平６−６５０９９号公報
【発明の開示】
【発明が解決しようとする課題】
【０００５】
例えば、図９（イ）（ロ）に示す手法であると、ポケット４の縁部分４ａに縁体２１の縁部分２１ａを縫い付けた後に、縁体２１の縁部分２１ｂをポケット４の外方に折り返してポケット４の縁部分４ａの内面に入り込ませる必要があるので、縁体２１の縁部分２１ｂをポケット４の縁部分４ａの内面に入り込ませた状態を維持しながら、外面から縁体２１、ポケット４の縁部分４ａ、縁体２１の縁部分２１ｂ及びシートの表皮１１を縫い付ける必要があり、この作業が手間と熟練を要するものとなっていた。
本発明はシートのポケット縫い付け構造において、縁体によってポケットの縁部分を綺麗に覆うことができ、縁体の縁部分も外に露出しない状態を、手間や熟練をあまり要することなく得ることができるように構成することを目的としている。
【課題を解決するための手段】
【０００６】
（構成）
本発明の特徴は、シートのポケット縫い付け構造において次のように構成することにある。
シートの表皮にポケットの縁部分が縫い付けられて、二つ折りされた縁体の縁部分がポケットの外方に向くようにポケットの縁部分の外面に縫い付けられている。縁体の縁部分の縫い付け部を外面から覆うように、縁体の二つ折り部分がポケットの外方に折り返されている。ポケットの外方に折り返された縁体の二つ折り部分が、ポケットの縁部分よりも外方に出されてシートの表皮に縫い付けられている。
【０００７】
（作用）
本発明の特徴によると、例えば図５（イ）（ロ）（ハ）に示すように、シートの表皮１１にポケット４の縁部分４ａが縫い付けられて、二つ折りされた縁体１２の縁部分１２ａがポケット４の外方に向くようにポケット４の縁部分４ａの外面に縫い付けられている。この状態において、縁体１２の縁部分１２ａの縫い付け部Ｎ１，Ｎ２を外面から覆うように、縁体１２の二つ折り部分１２ｂがポケット４の外方に折り返されており、ポケット４の外方に折り返された縁体１２の二つ折り部分１２ｂが、ポケット４の縁部分４ａよりも外方に出されてシート１１の表皮に縫い付けられている。
【０００８】
これにより、本発明の特徴によると、例えば図５（ハ）に示すように、ポケット４の縁部分４ａ及び縁体１２の縁部分１２ａ、縫い付け部Ｎ１，Ｎ２が、縁体１２の二つ折り部分１２ｂによって外面から覆われている。この場合、縁体１２の二つ折り部分１２ｂが外に露出することになるが、縁体１２の二つ折り部分１２ｂは縁体１２の縁部分１２ａではないので、縁体１２の二つ折り部分１２ｂが外に露出しても見苦しいものではない。
このように本発明の特徴によると、縁体の二つ折り部分を有効に利用することにより、例えば図９（イ）（ロ）に示すように、縁体（二つ折り部分）をポケットの縁部分の内面に入り込ませなくても良いのであり、手間や熟練をあまり要することなく縁体の二つ折り部分をシートの表皮に縫い付けることができる。
【０００９】
（発明の効果）
本発明の特徴によると、シートのポケット縫い付け構造において、縁体をポケットの縁部分の内面に入り込ませなくても、縁体によってポケットの縁部分を綺麗に覆うことができ、縁体の縁部分も外に露出しない状態を、手間や熟練をあまり要することなく得ることができるようになって、ポケットの縫い付けの生産性の向上及び生産コストの低減を図ることができた。
【発明を実施するための最良の形態】
【００１０】
図１は乗用車のシート（運転席又は助手席）を示しており、シートは座部１、背もたれ部２及びヘッドレスト３を備えて構成されている。背もたれ部２の背面の上部左側部に、袋状で小物入れ用のポケット４、及びポケット４に対する蓋体５が縫い付けられており、次にポケット４及び蓋体５について説明する。
【００１１】
図２，３，４に示すように、ポケット４は１枚の裏生地６と１枚の表生地７とが重ね合わされて構成されており、中央の折り返された部分に面状ファスナ８（登録商標名マジックテープ）が縫い付けられている。蓋体５は２枚の裏生地６と１枚の表生地７とが重ね合わされて構成されており、蓋体５の中央の表側にボタン９が取り付けられ、蓋体５の中央の裏側（裏生地６）に面状ファスナ１０（登録商標名マジックテープ）が縫い付けられている。面状ファスナ１０には、蓋体５と同じ表生地７が縫い付けられている。
【００１２】
次に、ポケット４及び蓋体５の縁部分４ａ，５ａの縫い付けについて説明する。
図５（イ）に示すように、ポケット４の縁部分４ａがシートの表皮１１に縫い付けられている（縫い付け部Ｎ１）。図２及び図５（ロ）に示すように、細長い帯布状の縁体１２が用意されて、縁体１２が二つ折りにされており、二つ折りされた縁体１２の縁部分１２ａがポケット４の外方（図５（ロ）の紙面右方）に向くように、ポケット４の縁部分４ａの外面及びシートの表皮１１に縫い付けられている（縫い付け部Ｎ１よりもポケット４の内方（図５（ロ）の紙面左方）に位置する縫い付け部Ｎ２）。この場合、ポケット４の縁部分４ａの位置と、縁体１２の縁部分１２ａの位置とが揃えられている。
【００１３】
図２，３，４，５（ハ）に示すように、縁体１２の二つ折り部分１２ｂがポケット４の外方（図５（ハ）の紙面右方）に折り返され、ポケット４の縁部分４ａ及び縁体１２の縁部分１２ａよりも外方（図５（ハ）の紙面右方）に出されており、縁体１２の二つ折り部分１２ｂがシートの表皮１１に縫い付けられている（ポケット４の縁部分４ａ及び縁体１２の縁部分１２ａよりも外方（図５（ハ）の紙面右方）の縫い付け部Ｎ３）。これによって、ポケット４の縁部分４ａ及び縁体１２の縁部分１２ａ、縫い付け部Ｎ１，Ｎ２が、縁体１２の二つ折り部分１２ｂによって外面から覆われている。
蓋体５の縁部分５ａに対しても、前述の記載及び図２，３，４，５（イ）（ロ）（ハ）と同様に縁体１２が縫い付けられる。
【００１４】
次に、ポケット４及び蓋体５の縁部分４ｂ，５ｂの縫い付けについて説明する。
図２，３，４に示すように、ポケット４の縁部分４ｂはシートの表皮１１に縫い付けられていない。図２，３，４，６（イ）に示すように、細長い帯布状の縁体１３が用意されて、縁体１３の一方の縁部分１３ａがポケット４の外方（図６（イ）の紙面上方）に向くように、ポケット４の縁部分４ｂの外面に縫い付けられている（縫い付け部Ｎ４）。
【００１５】
図２，３，４，６（ロ）に示すように、縁体１３がポケット４の外方（図６（ロ）の紙面上方）に折り返され、ポケット４の縁部分４ｂ及び縁体１３の縁部分１３ａを外方から覆うように、縁体１３の他方の縁部分１３ｂがポケット４の縁部分４ｂの内面に入り込められており、縁体１３の他方の縁部分１３ｂがポケット４の縁部分４ｂに縫い付けられている（縫い付け部Ｎ４よりもポケット４の外方（図６（ロ）の紙面上方）の縫い付け部Ｎ５）。これにより、ポケット４の縁部分４ｂ及び縁体１３の縁部分１３ａ、縫い付け部Ｎ４が縁体１３によって外面から覆われる。
蓋体５の縁部分５ｂに対しても、前述の記載及び図２，３，４，６（イ）（ロ）と同様に縁体１３が縫い付けられる。
【００１６】
［発明の実施の第１別形態］
前述の［発明を実施するための最良の形態］の図５（イ）（ロ）（ハ）に代えて、図７（イ）（ロ）に示すように構成してもよい。
図７（イ）に示すように、細長い帯布状の縁体１２が用意されて、縁体１２が二つ折りにされており、ポケット４の縁部分４ａ及び二つ折りされた縁体１２の縁部分１２ａが、一度にシートの表皮１１に縫い付けられている（縫い付け部Ｎ６）。この場合、ポケット４の縁部分４ａの位置と、縁体１２の縁部分１２ａの位置とが揃えられている。
【００１７】
図７（ロ）に示すように、縁体１２の二つ折り部分１２ｂがポケット４の外方（図７（ロ）の紙面右方）に折り返され、ポケット４の縁部分４ａ及び縁体１２の縁部分１２ａよりも外方（図７（ロ）の紙面右方）に出されており、縁体１２の二つ折り部分１２ｂがシートの表皮１１に縫い付けられている（ポケット４の縁部分４ａ及び縁体１２の縁部分１２ａよりも外方（図７（ロ）の紙面右方）の縫い付け部Ｎ７）。これにより、ポケット４の縁部分４ａ及び縁体１２の縁部分１２ａ、縫い付け部Ｎ６が、縁体１２の二つ折り部分１２ｂによって外面から覆われている。
蓋体５の縁部分５ａに対しても、前述の記載及び図７（イ）（ロ）と同様に縁体１２が縫い付けられる。
【００１８】
［発明の実施の第２別形態］
前述の［発明を実施するための最良の形態］及び［発明の実施の第１別形態］の図５（イ）（ロ）（ハ）及び図７（イ）（ロ）に代えて、図８（イ）（ロ）に示すように構成してもよい。
図８（イ）に示すように、細長い帯布状の縁体１２が用意されて、縁体１２が二つ折りにされており、ポケット４の縁部分４ａ及び二つ折りされた縁体１２の縁部分１２ａが、一度にシートの表皮１１に縫い付けられている（縫い付け部Ｎ８）。この場合、ポケット４の縁部分４ａの位置が、縁体１２の縁部分１２ａの位置よりもポケット４の外方（図８（イ）の紙面右方）に位置するように、ポケット４の縁部分４ａの位置と、縁体１２の縁部分１２ａの位置とが少しずらされている。
【００１９】
図８（ロ）に示すように、縁体１２の二つ折り部分１２ｂがポケット４の外方（図８（ロ）の紙面右方）に折り返され、ポケット４の縁部分４ａ及び縁体１２の縁部分１２ａよりも外方（図８（ロ）の紙面右方）に出されており、縁体１２の二つ折り部分１２ｂがポケット４の縁部分４ａ及びシートの表皮１１に縫い付けられている（縁体１２の縁部分１２ａよりも外方（図８（ロ）の紙面右方）の縫い付け部Ｎ９）。これにより、ポケット４の縁部分４ａ及び縁体１２の縁部分１２ａ、縫い付け部Ｎ８が、縁体１２の二つ折り部分１２ｂによって外面から覆われている。
蓋体５の縁部分５ａに対しても、前述の記載及び図８（イ）（ロ）と同様に縁体１２が縫い付けられる。
【００２０】
［発明の実施の第３別形態］
前述の［発明を実施するための最良の形態］［発明の実施の第１別形態］［発明の実施の第２別形態］において、シートの表皮１１、ポケット４（裏生地６及び表生地７）、蓋体５（裏生地６及び表生地７）、縁体１２，１３の素材としては、布地以外に、革や合成皮革、ビニールシート等を使用してもよい。
ポケット４及び蓋体５が縫い付けられる位置について、図１に示す背もたれ部２の背面の上部左側部ばかりではなく、背もたれ部２の背面の上部右側部や下部の右及び左側部、背もたれ部２の右及び左の横側部、座部１の右及び左の横側部等が考えられる。
【図面の簡単な説明】
【００２１】
【図１】シートを後方から見た斜視図
【図２】ポケット及び蓋体の正面図
【図３】図２におけるＡ−Ａ方向から見た断面図
【図４】図２におけるＢ−Ｂ方向から見た断面図
【図５】ポケット及び蓋体の縁部分の縫い付けの状態を示す断面図
【図６】ポケット及び蓋体の別の縁部分の縫い付けの状態を示す断面図
【図７】発明の実施の第１別形態におけるポケット及び蓋体の縁部分の縫い付けの状態を示す断面図
【図８】発明の実施の第２別形態におけるポケット及び蓋体の縁部分の縫い付けの状態を示す断面図
【図９】従来のポケットの縁部分の縫い付けの状態を示す断面図
【符号の説明】
【００２２】
４          ポケット
４ａ        ポケットの縁部分
１１        シートの表皮
１２        縁体
１２ａ      縁体の縁部分
１２ｂ      縁体の二つ折り部分
Ｎ１，Ｎ２  縫い付け部
【図１】
2006056411.tif 000003
【図２】
2006056411.tif 000004
【図３】
2006056411.tif 000005
【図４】
2006056411.tif 000006
【図５】
2006056411.tif 000007
【図６】
2006056411.tif 000008
【図７】
2006056411.tif 000009
【図８】
2006056411.tif 000010
【図９】
2006056411.tif 000011